(57)【要約】【課題】遺失の監視が不要な監視不要領域内から退場するユーザが所持している監視システムのシステム状態を検査できる遺失防止システムを提供する。【解決手段】遺失防止システム１には、リクエスト信号を受信すると個別ＩＤを発信するＩＣタグ５及びＩＣタグ５が装着された監視対象４の遺失を監視する監視装置３とから少なくとも構成される監視システム２と、監視システム２のシステム状態を検査する監視システム検査装置６と、監視不要領域から退場するユーザを検出するユーザ検出装置７が含まれ、監視システム検査装置６は、ユーザ検出装置７からユーザＩＤを含む退場データが通知されると、監視不要領域から退場するユーザが所持する監視システムの検査として、監視装置３との通信を確立する動作を行い、監視装置３と通信できない場合、検査不合格と判定し警告を発する処理を行う。【選択図】図１
2012226484.tif 000002
【特許請求の範囲】
【請求項１】
リクエスト信号を受信すると個別ＩＤを発信するＩＣタグ及び前記ＩＣタグが装着された監視対象の遺失を監視する監視装置とから少なくとも構成される監視システムと、前記監視システムのシステム状態を検査する監視システム検査装置と、前記監視対象の監視が不要な監視不要領域から退場するユーザを検出するユーザ検出装置を含む遺失防止システムであって、
前記ユーザ検出装置は、前記監視不要領域から退場するユーザを検出すると、前記監視不要領域からユーザが退場することを示す退場データを前記監視システム検査装置に通知する処理を行い、
前記監視システム検査装置は、前記監視装置とデータ通信する手段を有し、前記ユーザ検出装置から前記退場データが通知されると、前記監視不要領域から退場するユーザが所持する前記監視システムの検査として、前記監視装置との通信を確立する動作を行い、前記監視装置と通信できない場合、検査不合格と判定し警告を発する処理を行う、
ことを特徴とする遺失防止システム。
【請求項２】
前記ユーザ検出装置は、前記監視不要領域へ退場するユーザをユーザ認証することで、該ユーザのユーザＩＤを取得し、ユーザＩＤを含む前記退場データを前記監視システム検査装置へ送信する処理を行い、
前記監視システム検査装置は、ユーザＩＤに関連付けて、ユーザが所持する前記監視装置の装置ＩＤが記憶されたユーザＤＢを有し、記監視システムの検査として、前記ユーザ検出装置から通知されたユーザＩＤに関連付けられた装置ＩＤと、通信を確立した前記監視装置から取得した装置ＩＤを照合する動作を行い、装置ＩＤの照合に失敗した場合、検査不合格と判定し警告を発する処理を行うことを特徴とする、請求項１に記載の遺失防止システム。
【請求項３】
前記ユーザＤＢには、ユーザＩＤに関連付けて、ユーザが所持する前記監視対象に装着された前記ＩＣタグの個別ＩＤが記憶され、前記監視システム検査装置は、前記ＩＣタグとデータ通信する手段を有し、前記監視装置との通信を確立した後、前記監視システムの検査として、前記リクエスト信号を利用して得られた前記ＩＣタグの個別ＩＤと、前記ユーザ検出装置から通知されたユーザＩＤに関連付けられた個別ＩＤを照合し、個別ＩＤの照合に失敗した場合、検査不合格と判定し警告を発する処理を行うことを特徴とする、請求項２に記載の遺失防止システム。
【請求項４】
前記監視システム検査装置は、個別ＩＤの照合に成功した後、前記監視対象の監視開始を前記監視装置に対して指示し、前記監視装置は、前記リクエスト信号を利用して前記ＩＣタグの個別ＩＤと、前記監視装置に設定されている個別ＩＤを照合し、個別ＩＤの照合に失敗した場合、個別ＩＤの照合に失敗したことを前記監視システム検査装置に通知すると共に警告を発する処理を行うことを特徴とする、請求項３に記載の遺失防止システム。
【請求項５】
前記監視不要領域から退場するユーザのユーザ認証に成功し、かつ、前記監視システムの検査に合格すると、前記監視不要領域からユーザが退場する際に利用するゲートを開錠するゲート装置を含み、前記ユーザ検出装置は前記監視不要領域から退場するユーザのユーザ認証結果を前記ゲート装置へ通知し、前記監視システム検査装置は、前記監視システムの検査結果を前記ゲート装置へ通知することを特徴とする、請求項２から請求項４のいずれか一つに記載の遺失防止システム。
【発明の詳細な説明】
【技術分野】
【０００１】
本発明は、ＲＦＩＤを利用して遺失防止を図るシステムに関する発明で、更に詳しくは、遺失防止を確実に運用するための発明である。
【背景技術】
【０００２】
データ通信を非接触で行う認識システムであるＲＦＩＤシステム（RFID :Radio Frequency Indetification）は、流通業、販売業など様々な分野での利用が検討され、ＲＦＩＤシステムを利用したシステムの一つとして、遺失を監視するためのシステムが発案されている。
【０００３】
例えば、特許文献１では、ＲＦＩＤシステムのＩＣタグを監視対象に装着しておき、ＩＣタグと非接触でデータ通信する携帯情報端末（携帯電話）は、ＩＣタグとのデータ通信が不可能となった時点で、第１の警告を発すると共に、ＩＣタグとのデータ通信が通信不可能となった時点での位置情報を表示し、更に、再度、ＩＣタグとのデータ通信が通信可能となった時点で第２の警告を発する発明が開示されている。
【先行技術文献】
【特許文献】
【０００４】
【特許文献１】特開２００５−３０４００２号公報
【発明の概要】
【発明が解決しようとする課題】
【０００５】
しかし、特許文献１のように、監視対象に装着するＩＣタグと、ＩＣタグと非接触でデータ通信することにより監視対象の遺失を監視する監視装置（特許文献１では、携帯情報端末）で構成される監視システムでは、監視対象を監視する監視対象を身に付けるのをユーザが忘れた場合や、監視装置の電源が切れていた場合、外出先で監視対象を監視できない問題が発生する。また、監視装置に設定されていないＩＣタグがある場合、該ＩＣタグが装着された監視対象を外出先で監視できない問題も発生する。
【０００６】
そこで、本発明は、遺失の監視が不要な監視不要領域内（例えば、オフィス内）から監視不要領域外（例えば、オフィス外）へユーザが退場する際に、監視不要領域外へ退場するユーザが所持している監視システムのシステム状態を検査できる遺失防止システムを提供することを目的とする。
【課題を解決するための手段】
【０００７】
上述した課題を解決する第１の発明は、リクエスト信号を受信すると個別ＩＤを発信するＩＣタグ及び前記ＩＣタグが装着された監視対象の遺失を監視する監視装置とから少なくとも構成される監視システムと、前記監視システムのシステム状態を検査する監視システム検査装置と、前記監視対象の監視が不要な監視不要領域から退場するユーザを検出するユーザ検出装置を含む遺失防止システムであって、前記監視システム検査装置が前記監視不要領域からユーザが退場することを把握できるように、前記ユーザ検出装置は、前記監視不要領域から退場するユーザを検出すると、前記監視不要領域からユーザが退場することを示す退場データを前記監視システム検査装置に通知する処理を行う。
【０００８】
また、前記監視システム検査装置は、前記監視装置とデータ通信する手段を有し、前記ユーザ検出装置から前記退場データが通知されると、前記監視不要領域から退場するユーザが所持する前記監視システムの検査として、前記監視装置との通信を確立する動作を行い、前記監視装置と通信できない場合、検査不合格と判定し警告を発する処理を行う。
【０００９】
第２の発明は、第１の発明に記載の遺失防止システムにおいて、前記ユーザ検出装置は、前記監視不要領域へ退場するユーザを識別できるように、ユーザ認証して該ユーザのユーザＩＤを取得し、ユーザＩＤを含む前記退場データを前記監視システム検査装置へ送信する処理を行う。また、前記監視システム検査装置は、ユーザＩＤに関連付けて、ユーザが所持する前記監視装置の装置ＩＤが記憶されたユーザＤＢを有し、前記監視システムの検査として、前記ユーザ検出装置から通知されたユーザＩＤに関連付けられた装置ＩＤと、通信を確立した前記監視装置から取得した装置ＩＤを照合する動作を行い、装置ＩＤの照合に失敗した場合、検査不合格と判定し警告を発する処理を行う。
【００１０】
第３の発明は、第２の発明に記載の遺失防止システムにおいて、前記ユーザＤＢには、ユーザＩＤに関連付けて、ユーザが所持する前記監視対象に装着された前記ＩＣタグの個別ＩＤが記憶され、前記監視システム検査装置は、前記ＩＣタグとデータ通信する手段を有し、前記監視装置との通信を確立した後、前記監視システムの検査として、前記リクエスト信号を利用して得られた前記ＩＣタグの個別ＩＤと、前記ユーザ検出装置から通知されたユーザＩＤに関連付けられた個別ＩＤを照合し、個別ＩＤの照合に失敗した場合、検査不合格と判定し警告を発する処理を行う。
【００１１】
第４の発明は、第３の発明に記載の遺失防止システムにおいて、前記監視システム検査装置は、個別ＩＤの照合に成功した後、前記監視システムの検査として、前記監視対象の監視開始を前記監視装置に対して指示し、前記監視装置は、前記リクエスト信号を利用して前記ＩＣタグの個別ＩＤと、前記監視装置に設定されている個別ＩＤを照合し、個別ＩＤの照合に失敗した場合、個別ＩＤの照合に失敗したことを前記監視システム検査装置に通知すると共に警告を発する処理を行う。
【００１２】
第５の発明は、第２の発明から第４の発明に記載の遺失防止システムにおいて、前記監視システムの検査結果を、前記監視不要領域からユーザが退場する際に利用するゲートの開錠に反映できるように、前記監視不要領域から退場するユーザのユーザ認証に成功し、かつ、前記監視システムの検査に合格すると、前記監視不要領域からユーザが退場する際に利用するゲートを開錠するゲート装置を含み、前記ユーザ検出装置は前記監視不要領域から退場するユーザのユーザ認証結果を前記ゲート装置へ通知し、前記監視システム検査装置は、前記監視システムの検査結果を前記ゲート装置へ通知する。
【発明の効果】
【００１３】
このように、本発明によれば、遺失の監視が不要な監視不要領域内（例えば、オフィス内）から監視不要領域外（例えば、オフィス外）へユーザが退場する際に、監視不要領域外へ退場するユーザが所持している監視システムのシステム状態を検査できる遺失防止システムを提供できる。
【００１４】
詳しくは、前記監視不要領域から退場するユーザが所持する前記監視システムの検査として、前記監視装置との通信を確立する動作を行うことで、監視不要領域から退場するユーザが所持する前記監視システムの前記監視装置が動作することを確認できる。更に、前記ユーザ検出装置から通知されたユーザＩＤに関連付けられた装置ＩＤで特定される前記監視装置との通信を確立する動作を行うことで、ユーザが前記監視装置を不正に持ち出していないことを確認できる。更に、前記リクエスト信号を利用して得られた前記ＩＣタグの個別ＩＤと、前記ユーザ検出装置から通知されたユーザＩＤに関連付けられた個別ＩＤを照合することで、前記監視不要領域へ退場するユーザが所持する前記監視対象に過不足がないことを確認できる。更に、前記監視対象の監視開始を前記監視装置に対して指示することで、前記監視対象の設定ミスが前記監視装置に無いことを確認できる。更に、前記監視システムの検査結果を、前記監視不要領域からユーザが退場する際に利用するゲートの開錠に反映できるようにすることで、前記監視システムの検査に成功しなければ、ユーザは前記監視不要領域から退場できなくなる。
【図面の簡単な説明】
【００１５】
【図１】実施形態に係る遺失防止システムの構成を説明する図。
【図２】ＩＣタグを説明する図。
【図３】監視装置を説明する図。
【図４】ユーザ検出装置を説明する図。
【図５】監視システム検査装置を説明する図。
【図６】遺失防止システム１の動作を説明する第１の図。
【図７】遺失防止システム１の動作を説明する第２の図。
【発明を実施するための形態】
【００１６】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１７】
図１は、本実施形態に係る遺失防止システム１の構成を説明する図である。図１に図示したように、本実施形態に係る遺失防止システム１には、ＲＦＩＤ（RFID :Radio Frequency Identification）のＩＣタグ５と、ＩＣタグ５が装着された監視対象４（例えば、ＵＳＢメモリやノート型パーソナルコンピュータ）の遺失を監視する監視装置３とから構成される監視システム２が含まれる。
【００１８】
監視システム２を構成するＩＣタグ５は、遺失の監視を要する監視対象４に装着され、個別ＩＤを発信するリクエスト信号を受信すると、ＩＣタグ５が記憶している個別ＩＤを発信する。また、監視システム２を構成する監視装置３は、特許文献１のように、リクエスト信号を一定間隔毎に発信し、予め設定されている個別ＩＤを受信できなかった場合は遺失に係る警告を発する処理を行うことで、ＩＣタグ５が装着された監視対象４の遺失を監視する装置で、監視システム２は、遺失の監視が不要な監視不要領域（図１では、オフィスの室内）を出るユーザによって携帯されて、監視不要領域外（図１では、オフィスの室外）で利用される。
【００１９】
電源が切れているなどして、監視装置３の電源がＯＮ状態でない場合、又は、ユーザが監視対象４の少なくとも一つを所持し忘れた場合など、監視システム２のシステム状態に異常がある場合、監視不要領域外において監視システム２が正常に機能しないため、図１の遺失防止システム１には、監視システム２に加え、  監視不要領域を退場するユーザを検出し、監視不要領域を退場するユーザを検出したことを示す退場データを監視システム検査装置６へ通知するユーザ検出装置７と、監視不要領域から退場するユーザが所持する監視システム２のシステム状態を検査する監視システム検査装置６が含まれ、ユーザ検出装置７及び監視システム検査装置６は、監視不要領域と監視不要領域外の境界（図１では、オフィスの入退室口）に設置される。
【００２０】
ユーザ検出装置７としては、赤外線などにより人体検出センサや、ドアの開閉を検出するセンサが考えられるが、本実施形態のユーザ検出装置７は、監視不要領域から退場するユーザが所持するＩＤカードからユーザＩＤを読み取り、ＩＤカードから読み取ったユーザＩＤがユーザ検出装置７に記憶されているか確認することで、監視不要領域から退場するユーザをユーザ認証し、該ユーザＩＤを含む退場データを監視システム検査装置６へ送信する処理を行う。
【００２１】
監視システム検査装置６は、退場データがユーザ検出装置７から通知されると、監視システム２を検査するために、監視装置３との通信を確立する動作を行い、監視装置３と通信を確立できない場合、検査不合格と判定し警告を発信する処理を少なくとも行う。監視装置３との通信を確立する動作を行うことで、電源が切れているなどして、監視不要領域を退場する監視装置３の電源がＯＮ状態であることを検査できる。
【００２２】
また、本実施形態では、監視システム検査装置６に、ユーザＩＤに関連付けて、ユーザが所持する監視装置３の装置ＩＤを記憶させ、ユーザ検出装置７から通知されたユーザＩＤに関連付けられた装置ＩＤで特定される監視装置３との通信を確立する動作を行うことで、ユーザが監視不要領域を退場する際に、ユーザが監視装置３を不正に持ち出していないことを確認できるようにしている。
【００２３】
更に、本実施形態では、監視システム検査装置６に、ユーザＩＤに関連付けて、ユーザが所持する監視対象４に装着されたＩＣタグ５の個別ＩＤを記憶させ、リクエスト信号を利用して得られたＩＣタグ５の個別ＩＤと、ユーザ検出装置７から通知されたユーザＩＤに関連付けられた個別ＩＤを照合し、個別ＩＤの照合に失敗した場合、検査不合格と判定し警告を発する処理を行うことで、ユーザが監視不要領域を退場する際に、監視対象４を所持し忘れていないか検査できるようにしている。
【００２４】
更に、本実施形態では、監視システム検査装置６が、監視対象４の監視開始を監視装置３に対して指示することで、ユーザが監視不要領域を退場する際に、監視対象４の設定ミスが監視装置３に無いことを確認できるようにしている。
【００２５】
更に、本実施形態の遺失防止システム１には、監視システム２の検査の合格した場合にのみ、監視不要領域からユーザが退場できるようにするために、監視不要領域から退場するユーザのユーザ認証結果及び監視システム２の検査結果に基づき、監視不要領域からユーザが退場する際に利用するゲートの施錠を管理するゲート装置８を含ませている。
【００２６】
ここから、図１で図示した遺失防止システム１を構成する各装置・システムについて説明する。まず、ＩＣタグ５について説明する。図２は、ＩＣタグ５を説明する図である。
【００２７】
遺失を監視する監視対象４に装着されるＩＣタグ５は、ＩＣタグ５を個体識別するための個体ＩＤを記憶したメモリ５１と、非接触によりデータ通信するＲＦ回路５０が少なくとも実装された記録担体で、遺失を防止したい監視対象４にＩＣタグ５を装着する装着方法としては、キーホルダや両面シールを用いる装着方法や、監視対象４に埋め込む装着方法が考えられる。
【００２８】
ＩＣタグ５の種類としては、内蔵された電池で動作するアクティブ型と外部装置から電力を受けて動作するパッシブ型の２種類があり、本発明はいずれの種類でも利用可能であるが、遺失の監視を目的とする場合、アクティブ型の通信距離（数十ｍ）は必要とされないため、通信距離が数ｍである近傍型のパッシブ型を用いるとよい。
【００２９】
次に、監視装置３について説明する。図３は、監視装置３を説明する図である。監視装置３は、コンピュータを用いて実現される装置で、通信手段として、監視対象４に装着されたＩＣタグ５とデータ通信するＩＣタグリーダライタ３０と、監視システム検査装置６と無線通信する無線通信回路３１を備え、更に、監視装置３を制御する制御手段３２と、制御手段３２が警告を発する際に利用する警告手段３３を備え、監視装置３には、監視装置３を識別するための装置ＩＤが記憶されている。
【００３０】
監視装置３のＩＣタグリーダライタ３０は、監視対象４に装着されたＩＣタグ５と非接触によりデータ通信するために監視装置３に備えられ、ＩＣタグリーダライタ３０はＩＣタグ５のＲＦ回路５０に対応した回路になる。例えば、ＩＣタグ５のＲＦ回路５０としてＵＨＦ帯に対応した回路を用いる場合、監視装置３のＩＣタグリーダライタ３０もＵＨＦ帯に対応した回路になる。
【００３１】
監視装置３の無線通信回路３１は、後述する監視システム検査装置６と無線通信するために監視装置３に備えられ、監視装置３の無線通信回路３１は、ＩＣタグ５と非接触によりデータ通信するＩＣタグリーダライタ３０と異なる通信方式の回路であることが望ましく、例えば、該通信方式としてＢｌｕｅｔｏｏｔｈを利用できる。
【００３２】
監視装置３の警告手段３３は、光、音、振動等により警告を発信する手段で、光により警告を発信する場合はＬＥＤやディスプレイが監視装置３に備えられ、音や音声により警告を発信する場合はスピーカが監視装置３に備えられ、また、振動により警告を発信する場合は振動子が監視装置３に備えられる。
【００３３】
監視装置３の制御手段３２は、コンピュータプログラムを利用して実現される手段で、監視装置３の動作を検査する命令を監視システム検査装置６から受信すると、監視装置３から受信した命令に対応した処理を実行する処理を行う。なお、監視装置３から受信した命令に対応した処理の詳細については後述する。
【００３４】
ユーザ検出装置７について説明する。図４は、本実施形態に係るユーザ検出装置７を説明する図である。
【００３５】
本実施形態において、ユーザ検出装置７は、監視不要領域へ入退場するユーザ、すなわち、オフィスへ入退室するユーザをユーザ認証することで、該ユーザのユーザＩＤを取得し、ユーザＩＤを含む退場データを監視システム検査装置６へ送信する処理を行う装置で、ユーザ認証にユーザＩＤを使用していればユーザ認証方式は問わないが、図４に図示したように、本実施形態のユーザ検出装置７は、ユーザが所持するＩＤカードから、ＩＤカードに記憶されているユーザＩＤを読み取るためのカードリーダ７０と、カードリーダ７０が読み取ったユーザＩＤが、ユーザ検出装置７に記憶されているユーザＩＤに含まれているか確認することでユーザ認証を行い、ユーザ認証結果をゲート装置８へ通知するユーザ認証手段７１を備える。
【００３６】
次に、ゲート装置８について説明する。ゲート装置８は、監視不要領域からの退場、すなわち、オフィスからの退室を少なくとも管理するシステムで、ユーザ検出装置７から通知されたユーザ認証結果によってユーザ認証の成功が示され、かつ、監視システム検査装置６から通知された監視システム２の検査結果によって全ての検査の合格が示されている場合、オフィスのドアの施錠を開錠する動作を行う装置である。
【００３７】
次に、監視システム検査装置６について説明する。図５は、監視システム検査装置６を説明する図である。監視システム検査装置６は、コンピュータを用いて実現される装置で、通信手段として、監視対象４に装着されたＩＣタグ５とデータ通信するＩＣタグリーダライタ６０と、監視装置３と無線通信する無線通信回路６１を備え、更に、監視不要領域から退場するユーザが携帯している監視システム２のシステム状態を検査する制御手段６２と、音や音声にて警告を発する警告手段６３と、オフィスへの入退室が許可されているユーザのユーザＩＤに関連付けて、ユーザの所持が許可された監視装置３の装置ＩＤと、ユーザが所持する監視対象４に装着されたＩＣタグ５の個体ＩＤを記憶したユーザＤＢ６４を備えている。
【００３８】
監視システム検査装置６のＩＣタグリーダライタ６０は、監視対象４に装着されたＩＣタグ５と非接触によりデータ通信するために監視装置３に備えられ、ＩＣタグリーダライタ６０はＩＣタグ５のＲＦ回路５０に対応した回路になる。例えば、ＩＣタグ５のＲＦ回路５０としてＵＨＦ帯に対応した回路を用いる場合、監視装置３のＩＣタグリーダライタ６０もＵＨＦ帯に対応した回路になる。
【００３９】
また、監視システム検査装置６の無線通信回路６１は、監視不要領域から退場するユーザが所持する監視装置３と無線によりデータ通信するために監視システム検査装置６に備えられ、監視システム検査装置６の無線通信回路６１は監視装置３の無線通信回路３１に対応した回路になる。例えば、監視装置３の無線通信回路３１としてＢｌｕｅｔｏｏｔｈを用いる場合、監視システム検査装置６の無線通信回路６１もＢｌｕｅｔｏｏｔｈになる。
【００４０】
ここから、図１で図示した遺失防止システム１の動作を説明しながら、監視装置３の制御手段３１及び監視システム検査装置６の制御手段６１について詳細に説明する。図６は、遺失防止システム１の動作を説明する第１の図で、Ｓ１からＳ８及びＳ２０からＳ２２の各ステップを説明する図である。また、図７は、遺失防止システム１の動作を説明する第２の図で、Ｓ９からＳ１４及びＳ２３からＳ２４の各ステップを説明する図である。
【００４１】
まず、図６を用いて説明する。ユーザが監視不要領域から退場する際、すなわち、ユーザがオフィスから退室する際に、オフィスの退室口に設けられたユーザ検出装置７のカードリーダ７０にＩＤカードをかざすと、ユーザ検出装置７のユーザ認証手段７１は、カードリーダ７１を用いてＩＤカードからユーザＩＤを読み取ることでユーザからユーザＩＤを取得し（Ｓ１）、ＩＤカードから読み取ったユーザＩＤがユーザ検出装置７に記憶しているか確認することでユーザ認証を行い（Ｓ２）、ユーザ認証に失敗、すなわち、ＩＤカードから読み取ったユーザＩＤがユーザ検出装置７に記憶していない場合、ユーザ認証の失敗を示すユーザ認証結果をゲート装置８へ送信する処理を実行して（Ｓ２０）、この手順を終了する。
【００４２】
また、ユーザ認証に成功、すなわち、ＩＤカードから読み取ったユーザＩＤがユーザ検出装置７に記憶している場合、ユーザ検出装置７のユーザ認証手段７１は、ユーザ認証の成功を示すユーザ認証結果をゲート装置８へ送信した後（Ｓ３）、該ユーザＩＤを含む退場データを監視システム検査装置６へ通知する処理を実行する（Ｓ４）。
【００４３】
監視システム検査装置６の制御手段６２は、ユーザ検出装置７からユーザＩＤが通知されると、まず、監視システム２の検査の一つとして、監視不要領域から退場するユーザが所持する監視装置３が動作するか検査するために、無線通信回路６１を用いて、ユーザが所持する監視装置３を探す探索信号を発信することで、監視装置３との通信を確立し、監視装置３から装置ＩＤを取得する（Ｓ５）。
【００４４】
なお、探索信号を受信した監視装置３の制御手段３２は、無線通信回路３１を用い監視システム検査装置６に対して自機の装置ＩＤを送信し、探索信号を受信した監視装置３が無ければ、監視システム検査装置６には装置ＩＤが送信されない。
【００４５】
監視システム検査装置６の制御手段６２は、監視装置３から装置ＩＤが受信できない場合、監視装置３の電源がＯＮ状態でないと判定できるため、監視装置３の不所持を示す警告を警告手段６３に発させた後、監視システム２の検査不合格をゲート装置８に通知して（Ｓ２１）、この手順を終了する。
【００４６】
また、  監視システム検査装置６の制御手段６２は、監視装置３から装置ＩＤを受信した場合、ユーザＤＢ６４を参照して、ユーザ検出装置７から引き渡されたユーザＩＤに関連付けられた装置ＩＤを取得し、ユーザＤＢ６４から取得した装置ＩＤと監視装置３から受信した装置ＩＤが同一であるか照合し（Ｓ６）、照合に失敗した場合、許可されていない監視装置３をユーザが所持していると判定できるため、監視装置３の不正持ち出しを示す警告を警告手段６３に発させた後、監視システム２の検査不合格をゲート装置８に通知して（Ｓ２１）、この手順を終了する。
【００４７】
監視システム検査装置６の制御手段６２は、装置ＩＤの照合に成功した場合、ＩＣタグリーダライタ６０を用いて、ＩＣタグ５を検出するためのリクエスト信号を発信し、ＩＣタグ５を検出する動作を行う（Ｓ７）。
【００４８】
ＩＣタグ５を検出する動作を行うと、監視システム検査装置６の制御手段６２は、ユーザＤＢ６４を参照して、ユーザ検出装置７から通知されたユーザＩＤに関連付けられた個別ＩＤを取得し、ユーザＤＢ６４から取得した個別ＩＤとＩＣタグ５から受信した個別ＩＤを照合し（Ｓ８）、個別ＩＤの照合に失敗した場合、ユーザが所持している監視対象４が過不足していると判定できるため、監視対象４の過不足を示す警告を警告手段６３に発させた後、監視システム２の検査の失敗をゲート装置８に通知して（Ｓ２２）、この手順を終了する。
【００４９】
ここから、図７を用いて説明する。ユーザが所持している監視対象４の過不足がないと判定した場合、監視システム検査装置６の制御手段６２は、監視対象４の監視を行う命令を監視装置３に対して送信する処理を行い（Ｓ９）、監視装置３の制御手段６２は、ＩＣタグリーダライタを用いて、ＩＣタグ５を検出するためのリクエスト信号を発信し、ＩＣタグ５を検出する動作を行う（Ｓ１０）。
【００５０】
そして、監視装置３の制御手段３２は、監視装置３に設定されている個別ＩＤとＩＣタグ５から受信した個体ＩＤを照合し（Ｓ１１）、個別ＩＤの照合に失敗すると、監視対象４の異常を示す警告を警告手段３３に発させた後、監視対象４の過不足を監視システム検査装置６に通知し（Ｓ２３）、個別ＩＤの照合に成功した場合、監視対象４の異常を示す警告を警告手段３３に発させることなく、監視対象４の正常を監視システム検査装置６に通知する（Ｓ１２）。
【００５１】
監視システム検査装置６の制御手段６２は、監視装置３から監視対象４の過不足が通知されると、監視装置３に個別ＩＤの設定ミスがあると判定し、監視システム２の検査の失敗をゲート装置８へ通知して（Ｓ２４）、この手順を終了する。
【００５２】
また、監視システム検査装置６の制御手段６２は、監視装置３から監視対象４の正常が通知されると、監視システム２の検査の成功をゲート装置８へ通知し（Ｓ１３）、ゲート装置８はドアの施錠を開錠して（Ｓ１４）、この手順を終了する。
【符号の説明】
【００５３】
１  遺失防止システム
２  監視システム
３  監視装置
４  監視対象
５  ＩＣタグ
６  監視システム検査装置
７  ユーザ検出装置
８  ゲート装置
【図１】
2012226484.tif 000003
【図２】
2012226484.tif 000004
【図３】
2012226484.tif 000005
【図４】
2012226484.tif 000006
【図５】
2012226484.tif 000007
【図６】
2012226484.tif 000008
【図７】
2012226484.tif 000009